(57)【要約】  光ファイバケーブル分岐部材は、分岐部材本体と、第１の光ファイバ心線束と、第１の光ファイバ心線束の外周を被覆し、ケーブル長手方向に沿って抗張力体が埋設された外皮と、を有する光ファイバケーブルの外皮の端部を分岐部材本体に対して把持固定するケーブル固定部と、外皮の端部から延出する第１の光ファイバ心線束を分岐して得られる複数の第２の光ファイバ心線束のそれぞれの外周をそれぞれ覆って保護する複数の保護チューブを分岐部材本体に対して固定するチューブ固定部と、を備える。
2017110114.tif 000002
【特許請求の範囲】
【請求項１】
分岐部材本体と、
第１の光ファイバ心線束と、前記第１の光ファイバ心線束の外周を被覆し、ケーブル長手方向に沿って抗張力体が埋設された外皮と、を有する光ファイバケーブルの前記外皮の端部を前記分岐部材本体に対して把持固定するケーブル固定部と、
前記外皮の前記端部から延出する前記第１の光ファイバ心線束を分岐して得られる複数の第２の光ファイバ心線束のそれぞれの外周をそれぞれ覆って保護する複数の保護チューブを前記分岐部材本体に対して固定するチューブ固定部と、を備える、
光ファイバケーブル分岐部材。
【請求項２】
第１の光ファイバ心線束と、前記第１の光ファイバ心線束の外周を被覆し、ケーブル長手方向に沿って抗張力体が埋設された外皮と、を有する光ファイバケーブルと、
前記外皮の端部から延出する前記第１の光ファイバ心線束を複数の第２の光ファイバ心線束に分岐する第１の光ファイバケーブル分岐部材と、
前記第１の光ファイバケーブル分岐部材で分岐された前記複数の第２の光ファイバ心線束と、
前記複数の第２の光ファイバ心線束のそれぞれの外周をそれぞれ覆って保護する複数の保護チューブと、を備え、
前記第１の光ファイバケーブル分岐部材は、
分岐部材本体と、
前記光ファイバケーブルの前記外皮の端部を前記分岐部材本体に対して把持固定するケーブル固定部と、
前記第１の光ファイバ心線束を分岐して得られる前記複数の第２の光ファイバ心線束を保護する前記複数の保護チューブを前記分岐部材本体に対して固定するチューブ固定部と、を有する、
光ファイバケーブル分岐構造。
【請求項３】
請求項２に記載の光ファイバケーブル分岐構造であって、
前記第１の光ファイバケーブル分岐部材により分岐された前記複数の第２の光ファイバ心線束の少なくとも１つを、複数の第３の光ファイバ心線束に分岐する第２の光ファイバケーブル分岐部材をさらに備える。
【請求項４】
請求項２または３に記載の光ファイバケーブル分岐構造であって、
断面が真円の前記保護チューブを用いることにより、第２の光ファイバ心線束及び前記第２の光ファイバ心線束を覆う前記保護チューブは、前記保護チューブの長手方向に垂直な任意の方向に曲げ変形可能である。
【請求項５】
請求項２〜４のいずれか１項に記載の光ファイバケーブル分岐構造であって、
前記光ファイバケーブルでは、第１の光ファイバ心線束は、それぞれ複数本の光ファイバ心線をバンドル部材により束ねた光ファイバ心線の集合体である複数の光ファイバユニットにより構成されており、
前記第１の光ファイバケーブル分岐部材は、前記第１の光ファイバ心線束を、それぞれ一以上の前記光ファイバユニットで構成される前記複数の第２の光ファイバ心線束に分岐する。
【請求項６】
請求項５に記載の光ファイバケーブル分岐構造であって、
前記保護チューブは、透明または半透明とされており、前記保護チューブの内部に収容された光ファイバユニットが、前記保護チューブを通して視認される前記バンドル部材によって認識可能である。
【請求項７】
請求項１に記載の光ファイバケーブル分岐部材であって、
前記分岐部材本体は、前記ケーブル固定部と前記チューブ固定部との間の光ファイバ心線を保護する保護ケースを備える。
【請求項８】
請求項７に記載の光ファイバケーブル分岐部材であって、
前記保護ケースでは、その光ファイバ心線の配置された内部空間に樹脂材を充てんすることにより、前記保護ケース内での光ファイバ心線の移動が防止される。
【請求項９】
請求項８に記載の光ファイバケーブル分岐部材であって、
前記保護ケースは、前記樹脂材を注入する注入孔を有する。
【請求項１０】
請求項２〜６のいずれか１項に記載の光ファイバケーブル分岐構造であって、
前記分岐部材本体は、前記ケーブル固定部と前記チューブ固定部との間の光ファイバ心線を保護する保護ケースを備える。
【請求項１１】
請求項１０に記載の光ファイバケーブル分岐構造であって、
前記保護ケースでは、その光ファイバ心線の配置された内部空間に樹脂材を充てんすることにより、前記保護ケース内での光ファイバ心線の移動が防止される。
【請求項１２】
請求項１１に記載の光ファイバケーブル分岐構造であって、
前記保護ケースは、前記樹脂材を注入する注入孔を有する。
【請求項１３】
請求項１，７〜９のいずれか１項に記載の光ファイバケーブル分岐部材であって、
前記チューブ固定部は、前記保護チューブを挿入固定するための固定溝を有する。
【請求項１４】
請求項１３に記載の光ファイバケーブル分岐部材であって、
前記チューブ固定部の前記固定溝には、前記保護チューブを引き留める突起が形成されている。
【請求項１５】
請求項２〜６または１０〜１２のいずれか１項に記載の光ファイバケーブル分岐構造であって、
前記チューブ固定部は、前記保護チューブを挿入固定するための固定溝を有する。
【請求項１６】
請求項１５に記載の光ファイバケーブル分岐構造であって、
前記チューブ固定部の前記固定溝には、前記保護チューブを引き留める突起が形成されている。
【請求項１７】
請求項２〜６，１０〜１２，１５，または１６のいずれか１項に記載の光ファイバケーブル分岐構造であって、
前記保護チューブの内部に挿入される保形部材をさらに備える。
【発明の詳細な説明】
【技術分野】
【０００１】
本開示は、光ファイバケーブル分岐部材及び光ファイバケーブル分岐構造に関する。本願は、２０１５年１２月２５日に出願された日本国特許出願２０１５−２５４８３８号に基づき優先権を主張し、その内容をここに援用する。
【背景技術】
【０００２】
例えば、光ファイバケーブルから延出する複数の光ファイバは、接続対象となる融着トレーで他の光ファイバと融着されて端末機器に接続される。このような光ファイバケーブルには、多数の光ファイバが収容されているので、例えば端末機器が設置された建屋まで光ファイバケーブルを敷設し、建屋内で光ファイバケーブルから延出する光ファイバを分岐する。【０００３】
光ファイバケーブルから延出する複数の光ファイバを分岐する光ファイバケーブル分岐部材として、従来、光ファイバケーブルを取り入れる分岐ケースであって、光ファイバケーブルから延出する複数の光ファイバを分岐して中空管に挿入し、取出口から取り出す分岐ケースがある（例えば、特許文献１参照）。この分岐ケースは、取入口と、複数の光ファイバ取出口を備えており、取入口から取り入れた光ファイバケーブル内の光ファイバを分岐し、分岐された光ファイバが複数の取出口から取り出される。
【先行技術文献】
【特許文献】
【０００４】
【特許文献１】米国特許出願公開第２０１５／０２９５３９４号明細書
【発明の概要】
【発明が解決しようとする課題】
【０００５】
しかし、上記特許文献１に開示された分岐ケースでは、光ファイバを安定した状態で維持することが難しいため、複数の光ファイバなどを分岐ケースに不安定な状態で収容しなければない。このため、光ファイバの分岐作業を行う際の作業性が低い。【０００６】
本発明は、光ファイバの分岐作業を行う際の作業性の低下を抑制することができる光ファイバケーブル分岐部材及び光ファイバケーブル分岐構造を提供する。
【課題を解決するための手段】
【０００７】
本発明の第１態様は、分岐部材本体と、第１の光ファイバ心線束と、前記第１の光ファイバ心線束の外周を被覆し、ケーブル長手方向に沿って抗張力体が埋設された外皮と、を有する光ファイバケーブルの前記外皮の端部を前記分岐部材本体に対して把持固定するケーブル固定部と、前記外皮の前記端部から延出する前記第１の光ファイバ心線束を分岐して得られる複数の第２の光ファイバ心線束のそれぞれの外周をそれぞれ覆って保護する複数の保護チューブを前記分岐部材本体に対して固定するチューブ固定部と、を備える。【０００８】
上記の構成によれば、第１の光ファイバ心線束を分岐して得られる複数の第２の光ファイバ心線束のそれぞれの外周をそれぞれ覆って保護する複数の保護チューブを固定するチューブ固定部を備えている。このため、保護チューブをチューブ固定部に固定することによって光ファイバ心線を安定した状態にすることができる。したがって、光ファイバ心線の分岐作業を行う際の作業性の低下を抑制することができる。【０００９】
本発明の第２態様は、第１の光ファイバ心線束と、前記第１の光ファイバ心線束の外周を被覆し、ケーブル長手方向に沿って抗張力体が埋設された外皮と、を有する光ファイバケーブルと、前記外皮の端部から延出する前記第１の光ファイバ心線束を複数の第２の光ファイバ心線束に分岐する第１の光ファイバケーブル分岐部材と、前記第１の光ファイバケーブル分岐部材で分岐された前記複数の第２の光ファイバ心線束と、前記複数の第２の光ファイバ心線束のそれぞれの外周をそれぞれ覆って保護する複数の保護チューブと、を備え、前記第１の光ファイバケーブル分岐部材は、分岐部材本体と、前記光ファイバケーブルの前記外皮の端部を前記分岐部材本体に対して把持固定するケーブル固定部と、前記第１の光ファイバ心線束を分岐して得られる前記複数の第２の光ファイバ心線束を保護する前記複数の保護チューブを前記分岐部材本体に対して固定するチューブ固定部と、を有する。【００１０】
上記の構成によれば、第１のケーブル分岐部材は、前記光ファイバケーブルの外皮の端部を把持することにより、前記光ファイバケーブルを固定するケーブル固定部と、第１の光ファイバ心線束を分岐して得られる複数の第２の光ファイバ心線束のそれぞれの外周をそれぞれ覆って保護する複数の保護チューブと、を備えている。このため、光ファイバケーブルをケーブル固定部に固定し、保護チューブをチューブ固定部に固定することによって光ファイバを安定した状態にすることができる。したがって、光ファイバの分岐作業を行う際の作業性の低下を抑制することができる。【００１１】
本発明の第３態様は、前記第１の光ファイバケーブル分岐部材により分岐された前記複数の第２の光ファイバ心線束の少なくとも１つを、複数の第３の光ファイバ心線束に分岐する第２の光ファイバケーブル分岐部材をさらに備えていていもよい。【００１２】
上記の構成によれば、複数の第３の光ファイバ心線束に分岐する第２のファイバケーブル分岐部材を備えることにより、複数の第２の光ファイバ心線束をより多く分岐させることができる。【００１３】
本発明の第４態様は、断面が真円の前記保護チューブを用いることにより、第２の光ファイバ心線束及び前記第２の光ファイバ心線束を覆う前記保護チューブは、前記保護チューブの長手方向に垂直な任意の方向に曲げ変形可能であってもよい。【００１４】
上記の構成によれば、保護チューブが真円である。仮に保護チューブが楕円または長円などであるとすると、曲率が大きい方向に折り曲げるのが困難となり、曲げ方向が制限される。この点、保護チューブの断面が真円であることにより、長手方向に垂直な任意の方向に曲げ変形が容易となる。【００１５】
本発明の第５態様は、上記第２〜第４態様のいずれか１態様の光ファイバケーブル分岐構造であって、前記光ファイバケーブルでは、第１の光ファイバ心線束は、それぞれ複数本の光ファイバ心線をバンドル部材により束ねた光ファイバ心線の集合体である複数の光ファイバユニットにより構成されており、前記第１の光ファイバケーブル分岐部材は、前記第１の光ファイバ心線束を、それぞれ一以上の前記光ファイバユニットで構成される前記複数の第２の光ファイバ心線束に分岐して保護してもよい。【００１６】
上記の構成によれば、光ファイバケーブルは、第１の光ファイバ心線束は、それぞれ複数本の光ファイバ心線をバンドル部材により束ねた光ファイバ心線の集合体である複数の光ファイバユニットにより構成されている。第１の光ファイバケーブル分岐部材は、前記第１の光ファイバ心線束を、それぞれ一以上の前記光ファイバユニットで構成される前記複数の第２の光ファイバ心線束に分岐して保護されている。このため、分岐した光ファイバユニットを確実に保護することができる。【００１７】
本発明の第６態様は、上記第５態様の光ファイバケーブル分岐構造であって、前記保護チューブは、透明または半透明とされており、前記保護チューブの内部に収容された光ファイバユニットが、前記保護チューブを通して視認される前記バンドル部材によって認識可能であってもよい。【００１８】
上記の構成によれば、光ファイバユニットは、透明または半透明の保護チューブを通して視認されるバンドル部材によって識別可能である。このため、保護チューブを取り外すことなく、光ファイバユニットを容易かつ確実に識別することができる。【００１９】
本発明の第７態様は、上記第１態様の光ファイバケーブル分岐部材であって、  前記分岐部材本体は、前記ケーブル固定部と前記チューブ固定部との間の光ファイバ心線を保護する保護ケースを備える。
記ケーブル固定部と前記チューブ固定部との間の光ファイバ心線を保護する保護ケースをさらに備えていてもよい。【００２０】
上記の構成によれば、光ファイバ心線を保護する保護ケースを備えるので、光ファイバ心線の損傷を防止することができる。【００２１】
本発明の第８態様は、上記第７態様の光ファイバケーブル分岐部材であって、前記保護ケースでは、その光ファイバ心線の配置された内部空間に樹脂材を充てんすることにより、前記保護ケース内での光ファイバ心線の移動が防止されてもよい。【００２２】
上記の構成によれば、光ファイバ心線の配置された内部空間に樹脂材を充てんすることにより、前記保護ケース内での光ファイバ心線の移動が防止されているので、光ファイバのばらつきや絡まりなどを抑制することができる。加えて、光ファイバケーブルの端部から延出する複数の光ファイバの移動を抑制することができる。【００２３】
本発明の第９態様は、上記第８態様の光ファイバケーブル分岐部材であって、前記保護ケースは、前記樹脂材を注入する注入孔を有していてもよい。【００２４】
上記の構成によれば、樹脂材の注入孔が形成されているので、樹脂材を収容部に容易に充てんすることができる。【００２５】
本発明の第１０態様は、上記第２〜第６態様のいずれか１態様の光ファイバケーブル分岐構造であって、前記分岐部材本体は、前記ケーブル固定部と前記チューブ固定部との間の光ファイバ心線を保護する保護ケースを備えていてもよい。【００２６】
上記の構成によれば、光ファイバ心線を保護する保護ケースを備えるので、光ファイバ心線の損傷を防止することができる。【００２７】
本発明の第１１態様は、上記第１０態様の光ファイバケーブル分岐構造であって、前記保護ケースでは、その光ファイバ心線の配置された内部空間に樹脂材を充てんすることにより、前記保護ケース内での光ファイバ心線の移動が防止されてもよい。【００２８】
上記の構成によれば、光ファイバ心線の配置された内部空間に樹脂材を充てんすることにより、前記保護ケース内での光ファイバ心線の移動が防止されているので、光ファイバのばらつきや絡まりなどを抑制することができる、加えて、光ファイバケーブルの端部から延出する複数の光ファイバの移動を抑制することができる。【００２９】
本発明の第１２態様は、上記１１態様の光ファイバケーブル分岐構造であって、前記保護ケースは、前記樹脂材を注入する注入孔を有していてもよい。【００３０】
上記の構成によれば、樹脂材の注入孔が形成されているので、樹脂材を収容部に容易に充てんすることができる。【００３１】
本発明の第１３態様は、上記第１，第７〜第９態様のいずれか１態様の光ファイバケーブル分岐部材であって、前記チューブ固定部は、前記保護チューブを挿入固定するための固定溝を有していてもよい。【００３２】
上記の構成によれば、チューブ固定部は、前記保護チューブを挿入固定する固定溝を有しているので、保護チューブを確実に固定することができる。【００３３】
本発明の第１４態様は、上記１３態様の光ファイバケーブル分岐部材であって、前記チューブ固定部の前記固定溝には、前記保護チューブを引き留める突起が形成されていてもよい。【００３４】
上記の構成によれば、前記固定溝には、前記保護チューブを引き留める突起が形成されているので、保護チューブの移動を防止できるので、保護チューブを確実に固定することができる。【００３５】
本発明の第１５態様は、上記第２〜第６または第１０〜第１２態様のいずれか１態様の光ファイバケーブル分岐構造であって、前記チューブ固定部は、前記保護チューブを挿入固定するための固定溝を有していてもよい。【００３６】
上記の構成によれば、チューブ固定部は、前記保護チューブを挿入固定する固定溝を有しているので、保護チューブを確実に固定することができる。【００３７】
本発明の第１６態様は、上記第１５態様の光ファイバケーブル分岐構造であって、前記チューブ固定部の前記固定溝には、前記保護チューブを引き留める突起が形成されていてもよい。【００３８】
上記の構成によれば、前記固定溝には、前記保護チューブを引き留める突起が形成されているので、保護チューブの移動を防止できるので、保護チューブを確実に固定することができる。【００３９】
本発明の第１７態様は、上記第２〜第６，第１０〜第１２，１５，または第１６態様のいずれか１態様の光ファイバケーブル分岐構造であって、前記保護チューブの内部に挿入される保形部材をさらに備えていてもよい。【００４０】
上記本発明に係る態様の光ファイバケーブル分岐部材及び光ファイバケーブル分岐構造によれば、固定部に固定される保護チューブに挿入された保形部材を備えることにより、保護チューブのつぶれが抑制されるので、保護チューブを確実に固定することができる。
【発明の効果】
【００４１】
上記本発明に係る光ファイバケーブル分岐部材及び光ファイバケーブル分岐構造によれば、光ファイバの分岐作業を行う際の作業性の低下を抑制することができる。
【図面の簡単な説明】
【００４２】
【図１Ａ】本発明の幾つかの実施形態に係る光ファイバケーブル分岐構造の側面図である。
【図１Ｂ】本発明の幾つかの実施形態に係る光ファイバケーブル分岐構造の平面図である。
【図２】図１ＡのＡ−Ａ線断面図である。
【図３】本発明の幾つかの実施形態に係る光ファイバケーブル分岐構造の斜視図である。
【図４】本発明の幾つかの実施形態に係る光ファイバケーブル分岐構造の分解斜視図である。
【図５】第１分岐ケースの取入口の拡大斜視図である。
【図６】把持部材の斜視図である。
【図７】第１分岐ケースの取入口の拡大側断面図である。
【図８】第１分岐ケースの取出口の拡大斜視図である。
【図９Ａ】保護チューブが挿入される前の固定プレートの正断面図である。
【図９Ｂ】図９ＡのＡ−Ａ線断面図である。
【図９Ｃ】保護チューブが挿入された後の固定プレートの正断面図である。
【図９Ｄ】図９ＣのＢ−Ｂ線断面図である。
【図１０】ストッパに収容された保護チューブの説明図である。
【図１１】第１分岐ケース蓋部材の裏面側と第１分岐ケース本体の表面側を示す斜視図である。
【図１２】第２分岐ケースの分解斜視図である。
【図１３】光ファイバケーブルの断面図である。
【図１４Ａ】４本の光ファイバを備える間欠固定心線の概略図である。
【図１４Ｂ】１２本の光ファイバを備える間欠固定心線の概略図である。
【図１５Ａ】図１４ＢのＢ−Ｂ線断面図である。
【図１５Ｂ】間欠固定心線を広げた状態を示す図である。
【図１６】光ファイバケーブル分岐構造を融着トレーに接続した状態の背面図である。
【図１７】融着トレーの側面図である。
【図１８】本発明の幾つかの実施形態の他の例に係る光ファイバケーブル分岐構造の平面図である。
【発明を実施するための形態】
【００４３】
次に、本発明の幾つかの実施形態に係る実施形態を図面に基づいて説明する。以下の各実施形態において、共通する要素、部材等については同一の番号を付してその説明を省略することがある。
（第１実施形態）
図１Ａは、本発明の幾つかの実施形態に係る光ファイバケーブル分岐構造の側面図、図１Ｂは、本発明の幾つかの実施形態に係る光ファイバケーブル分岐構造の平面図ある。図１Ａ、図１Ｂに示すように、光ファイバケーブル分岐構造２００は、光ファイバケーブル分岐部材（第１のケーブル分岐部材）２１０と、光ファイバケーブル５０と、保護チューブ６０と、を備えている。
【００４４】
光ファイバケーブル分岐部材２１０は、分岐部材本体２１１と、ケーブル固定部２１２と、チューブ固定部２１３と、を備えている。ケーブル固定部２１２とチューブ固定部２１３との間には、分岐部２１４が形成されている。ケーブル固定部２１２は、光ファイバケーブル５０を保持して固定する。
【００４５】
図１３に示すように、光ファイバケーブル５０は、複数組、例えば１０数組の光ファイバユニット５１からなる光ファイバユニット束（第１の光ファイバ心線束）５１Ａを備えている。光ファイバユニット５１は、一以上の光ファイバ（光ファイバ心線）５２からなり、複数、例えば１００本程度の光ファイバ５２を備えている。一定数の光ファイバ５２は、図１４Ａ、図１４Ｂに示すように、間欠固定心線５２Ａとなっている。間欠固定心線５２Ａは、テープ状をなしており、光ファイバ５２が一定方向に同ピッチで配置されて構成されている。間欠固定心線５２Ａは、ＳＷＲ（Spider Web Ribbon)と呼ばれ、数本、例えば図１４Ａに示すように、４本の光ファイバ５２を備えている。あるいは、図１４Ｂに示すように、１２本の光ファイバ５２を備えていてもいし、その他の数の光ファイバ５２を備えていてもよい。
【００４６】
以下、図１４Ｂに示す間欠固定心線５２Ａについてさらに説明すると、間欠固定心線５２Ａは、１２本の光ファイバ５２が並べられて形成されている。これらの１２本の光ファイバ５２のうち、隣り合う光ファイバ５２同士が、連結部１１５で連結されている。連結部１１５は、光ファイバ５２の長手方向（ケーブル長手方向）に一定間隔をおいて配置されている。隣り合う光ファイバ５２同士を連結する連結部１１５の位置に対して、隣り合う光ファイバ５２同士の隣で隣り合う光ファイバ５２同士を連結する連結部１１５は、光ファイバ５２の長手方向にずれた位置に配置されている。同様にして、隣り合う光ファイバ５２同士のさらに隣で隣り合う光ファイバ５２同士を連結する連結部１１５は、光ファイバ５２の長手方向にずれた位置に配置されている。こうして、連結部１１５は、幅方向及び長手方向に対して階段状に配置されている。
【００４７】
図１４Ａに示す４本の光ファイバ５２を備える間欠固定心線５２Ａにおいても、隣り合う光ファイバ５２同士が、連結部１１５で連結されている。連結部１１５は、光ファイバ５２の長手方向（ケーブル長手方向）に一定間隔をおいて配置されている。このため、図１４Ａに示す４本の光ファイバ５２を備える間欠固定心線５２Ａに設けられた連結部１１５は、図１４Ｂに示す１２本の光ファイバ５２を備える間欠固定心線５２Ａに設けられた連結部１１５よりも密に配置されている。言い換えると、図１４Ｂに示す１２本の光ファイバ５２を備える間欠固定心線５２Ａに設けられた連結部１１５は、図１４Ａに示す４本の光ファイバ５２を備える間欠固定心線５２Ａに設けられた連結部１１５よりも疎に配置されている。
【００４８】
図１５Ａにも示すように、隣り合う光ファイバ５２同士のうち、連結部１１５で連結される隣り合う光ファイバ５２同士は、連結部１１５を間に挟んで配置されている。連結部１１５で連結される隣り合う光ファイバ５２同士以外の隣り合う光ファイバ５２同士の間には、隙間部１１６が形成されている。隣り合う光ファイバ５２同士の間における連結部１１５及び隙間部１１６の幅は略同一である。このため、隣り合う光ファイバ５２同士の幅は略一定である。光ファイバ５２は、樹脂層１１７で覆われている。
【００４９】
間欠固定心線５２Ａでは、隣り合う光ファイバ５２が、幅方向及び長手方向に対して階段状に配置された連結部１１５で連結されている。このため、間欠固定心線５２Ａは、長手方向途中位置から、その延在方向に対して直交する方向に引っ張られることで、図１５Ｂに示すように、網目状（蜘蛛の巣状）に広がる構成をなしている。
【００５０】
光ファイバユニット５１は、所定数の間欠固定心線５２Ａが結束材（バンドル部材）５３によって束ねられた光ファイバ５２の集合体によって構成されている。結束材５３は、光ファイバユニット５１毎に異なる色に着色されている。このため、光ファイバユニット５１は、結束材５３の色によって識別可能である。図１３に示すように、光ファイバユニット束５１Ａは、吸水テープで形成されるラッピングチューブ５４によって包み込まれている。
【００５１】
光ファイバケーブル５０は、外皮（外被）５５及び抗張力体５６を備えている。外皮５５は、光ファイバユニット束５１Ａを包むラッピングチューブ５４を覆っており、光ファイバ５２の外周を被覆する。抗張力体５６は、外皮５５内の内側に隣接する位置に設けられている。抗張力体５６は、光ファイバケーブル５０の長手方向に沿って埋設されている。抗張力体５６は、光ファイバケーブル５０の断面で見て、上端に位置する１２時の位置及び下端に位置する６時の位置にそれぞれ埋設されている。
【００５２】
外皮５５における内側面に近接する位置には、引き裂き紐５７が設けられている。引き裂き紐５７は、光ファイバケーブル５０の延在方向に沿って配設されている。引き裂き紐５７は、光ファイバケーブル５０の断面で見て、右側に位置する３時の位置及び左側に位置する９時の位置にそれぞれ配置されている。外皮５５における引き裂き紐５７が配置された位置の外側には、突条のマーカ突起５８が設けられている。マーカ突起５８は、引き裂き紐５７に沿って形成されており、引き裂き紐５７の埋設位置を案内している。引き裂き紐５７やマーカ突起５８が設けられていないようにしてもよい。
【００５３】
図１及び図３に示すように、分岐部材本体２１１は、板状の部材である。分岐部材本体２１１は、ケーブル固定部２１２及びチューブ固定部２１３を取り付けるために設けられている。分岐部材本体２１１は、樹脂製である。分岐部材本体２１１の素材は限定されず、金属製等であってもよい。
【００５４】
図２に示すように、外皮５５に埋設された２本の抗張力体５６は、分岐部材本体２１１からの距離が略同一とされている。言い換えると、２本の抗張力体５６を光ファイバ５２の長手方向に直交する切断面で切った際の抗張力体５６同士を繋いだ線分は、分岐部材本体２１１の上面に沿った線（水平線）と略平行となっている。
【００５５】
ケーブル固定部２１２は、光ファイバケーブル５０と略同径のアーチ状をなす断面半円形の金属半環である。ケーブル固定部２１２は、光ファイバケーブル５０の外皮５５を包み、両端部が図示しないねじなどで分岐部材本体２１１に接合される。こうして、ケーブル固定部２１２は、光ファイバケーブル５０の外皮５５の端部を分岐部材本体２１１に対して把持固定する。
【００５６】
ケーブル固定部２１２で固定された光ファイバケーブル５０の端部からは、複数の光ファイバユニット束５１Ａが延出している。分岐部２１４では、これらの光ファイバユニット束５１Ａを分岐することで、複数の光ファイバユニット（第２の光ファイバ心線束）５１が得られる。
【００５７】
保護チューブ６０は、光ファイバユニット束５１Ａが分岐されて得られた光ファイバユニット５１のそれぞれの外周をそれぞれ覆って保護する。保護チューブ６０は、断面が真円である。保護チューブ６０は、例えば樹脂で形成された柔軟性を有するものであり、白色半透明の材料で構成されている。ただし、黒色や白色などの他の色であってもよい。このため、保護チューブ６０の内部に収容された光ファイバユニット５１が、保護チューブ６０を通して視認される結束材５３によって認識可能である。
【００５８】
チューブ固定部２１３は、保護チューブ６０と略同径のアーチ状をなす断面半円形の金属半環である。チューブ固定部２１３は、保護チューブ６０を包み、両端部が図示しないねじなどで分岐部材本体２１１に接合される。こうして、チューブ固定部２１３は、保護チューブ６０を把持することによって固定する。
【００５９】
以上の構成を有する本発明の幾つかの実施形態に係る光ファイバケーブル分岐構造２００において、光ファイバケーブル分岐部材２１０は、複数の光ファイバユニット５１のそれぞれの外周をそれぞれ覆って保護する複数の保護チューブ６０分岐部材本体２１１に対して固定するチューブ固定部２１３を備えている。保護チューブ６０をチューブ固定部２１３に固定することによって光ファイバユニット５１や光ファイバ５２を安定した状態にすることができる。したがって、光ファイバ５２の分岐作業を行う際の作業性の低下を抑制することができる。
【００６０】
光ファイバケーブル分岐部材２１０は、外皮５５の端部を分岐部材本体２１１に対して把持固定するケーブル固定部２１２を備えている。このため、光ファイバケーブル５０から光ファイバユニット５１を安定して延出させることができる。光ファイバケーブル５０では、外皮５５に抗張力体５６が埋設されている。ここで、例えば抗張力体が外皮の内側面に沿って設けられている場合に外皮５５を固定したときには、光ファイバケーブル５０を固定した際の安定性が低くなる可能性がある。この点、光ファイバケーブル５０では、外皮５５に抗張力体５６が設けられているので、ケーブル固定部２１２で外皮５５を固定することにより、光ファイバケーブル５０を安定して固定することができる。
【００６１】
保護チューブ６０は、断面が真円である。保護チューブの断面が楕円形や長円形、あるいは矩形などであると、保護チューブは、曲率が大きい方向などに折り曲げるのが困難となり、保護チューブの曲げ方向が制限される。この点、保護チューブ６０の断面は真円である。このため、その長手方向に垂直な任意の方向に曲げ変形が容易となる。
【００６２】
保護チューブ６０は、光ファイバユニット５１を収容して保護している。保護チューブ６０は、透明または半透明とされている。このため、保護チューブ６０の内部に収容された光ファイバユニット５１の結束材５３を認識可能とされている。したがって、保護チューブを取り外すことなく、光ファイバユニットを容易かつ確実に識別することができる。特に、結束材５３は、光ファイバユニット５１毎に異なる色に着色されている。このため、光ファイバユニット５１は、保護チューブ６０の外部から、結束材５３の色によって識別可能である。
【００６３】
図１４Ｂに示す１２本の光ファイバ５２を備える間欠固定心線５２Ａに設けられた連結部１１５は、図１４Ａに示す４本の光ファイバ５２を備える間欠固定心線５２Ａに設けられた連結部１１５よりも疎に配置されている。このため、幅方向に見て、連結部１１５が光ファイバ５２を横切る回数が少なくなる。したがって、間欠固定心線５２Ａをより柔軟にすることができるので、間欠固定心線５２Ａを光ファイバ５２に解いたときに心線のロスを少なくすることができる。
【００６４】
図２に示すように、光ファイバケーブル５０の外皮５５に埋設された２本の抗張力体５６は、分岐部材本体２１１からの距離が略同一とされている。このため、分岐部材本体２１１の上面に対して垂直となる方向（ケーブル長手方向に直交する水平線周りに回転する方向）に光ファイバケーブル５０を曲げやすくすることができる。
【００６５】
抗張力体５６は、外皮５５に埋設されているので、抗張力体５６の配置を気にすることなく光ファイバケーブル５０を光ファイバケーブル分岐部材２１０に固定することができる。したがって、光ファイバケーブル５０の光ファイバケーブル分岐部材２１０に固定する際の作業性を高めることができ、作業負荷の軽減や作業時間の短縮に寄与することができる。
【００６６】
外皮５５の端部から延出する複数の光ファイバ５２（光ファイバユニット束５１Ａ）を分岐して得られる複数の第２の光ファイバ心線束は、１以上の光ファイバ５２からなるものであればよい。上記の例では、光ファイバ心線束は、光ファイバユニット５１であるが、光ファイバユニット５１を解いた１の光ファイバ５２であってもよいし、１の間欠固定心線５２Ａであってもよい。あるいは、光ファイバ心線束は、図１８に示すように、光ファイバユニット５１を解いた複数の間欠固定心線５２Ａまたは１の光ファイバ５２であってもよい。あるいは、複数の光ファイバユニット５１から集められた複数の間欠固定心線５２Ａまたは光ファイバ５２であってもよい。
【００６７】
上記光ファイバケーブル分岐部材２１０は、適宜の位置に取り付けて用いることができる。例えば、光成端箱（光接続箱）、クロージャ、回線終端装置、融着トレーなどに接続することができる。ここで、光ファイバケーブル分岐部材２１０を光成端箱やクロージャに取り付ける場合、光ファイバケーブル分岐部材２１０は、ケース等に収容されることが多い。
【００６８】
このように、外部環境から保護された状態の場合、ケーブル固定部２１２とチューブ固定部２１３との間の光ファイバ５２は、ケース等によって外部環境から保護された状態で取り付けられることができる。したがって、ケーブル固定部２１２とチューブ固定部２１３との間の光ファイバ５２は、露出したままの状態でもよい。
【００６９】
（第２実施形態）
次に、第２実施形態について説明する。図３は、本発明の幾つかの実施形態に係る光ファイバケーブル分岐構造の斜視図、図４は、本発明の幾つかの実施形態に係る光ファイバケーブル分岐構造の分解斜視図である。以下の説明では、発明を理解し易くするために、適宜構成部品の一部を省略したり、形状を単純化したり、縮尺を変更したりする等、図示を簡略化していることがある。ＸＹＺ直交座標系を設定して各構成の位置関係を説明する。第１実施形態と共通する部材等については、同一の符号を付し、その説明を省略することがある。ＸＹＺ直交座標系において、Ｘ方向を左右方向、Ｙ方向を前後方向、Ｚ方向を上下方向として説明する。このため、下方向（Ｚ方向）が、光ファイバの延出方向となる。
【００７０】
図３に示すように、本発明の幾つかの実施形態に係る光ファイバケーブル分岐構造１００は、光ファイバケーブル分岐部材１０１を備えており、光ファイバケーブル分岐部材１０１は、第１分岐ケース（第１のファイバケーブル分岐部材、保護ケース）１及び第２分岐ケース２（第２のファイバケーブル分岐部材、保護ケース）を備えている。第１分岐ケース１には、光ファイバケーブル５０が取り入れられている。
【００７１】
第１分岐ケース１では、光ファイバケーブル５０から延出する光ファイバユニット束５１Ａは、複数組、例えば１２組の光ファイバユニット５１にそれぞれ分岐される。第１分岐ケース１で分岐された光ファイバユニット５１は、第１分岐ケース１から取り出される。第１分岐ケース１から取り出された光ファイバユニット５１には、保護チューブ６０が被せられる。
【００７２】
第１分岐ケース１から取り出された光ファイバユニット５１は、第２分岐ケース２に取り入れられる。第２分岐ケース２では、結束材５３が取り外された１００本程度の光ファイバ５２を数組の間欠固定心線５２Ａ（第３の光ファイバ心線束）ごとに分岐する。第２分岐ケース２で分岐された光ファイバ５２（ここでは間欠固定心線５２Ａ）には、保護チューブ６０が被せられ、分岐された間欠固定心線５２Ａは、第２分岐ケース２から取り出される。
【００７３】
図３に示す例では、第１分岐ケース１及び第２分岐ケース２が設けられているが、第２分岐ケース２が設けられておらず、第１分岐ケース１のみが設けられていてもよい。第２分岐ケース２で分岐された複数の光ファイバをさらに分岐させる第３分岐ケースが設けられていてもよい。さらには、第ｎ分岐ケース（ｎは整数）で分岐された複数の光ファイバをさらに分岐させる第（ｎ＋１）分岐ケースが設けられていてもよい。第１分岐ケース１では、光ファイバケーブル５０から延出する光ファイバユニット５１を分岐しているが、光ファイバユニット５１を解いて光ファイバ５２を複数本ずつ、あるいは単数本に分岐してもよい。
【００７４】
図４にも示すように、第１分岐ケース１は、第１分岐ケース本体（分岐部材本体）１０と、第１分岐ケース蓋部材２０と、取付プレート３０と、を備えて構成されている。第１分岐ケース本体１０は、可塑性の樹脂によって構成されている。第１分岐ケース蓋部材２０は、可とう性を有する樹脂によって構成されている取付プレート３０は、硬化性の樹脂によって構成されている。
【００７５】
第１分岐ケース本体１０は、取入部１１、収容部１２、固定部（チューブ固定部）１３、及び取出部１４を備えて構成されている。収容部１２は、取入部１１と取出部１４との間に配置され、固定部１３は、収容部と取出部１４との間に配置されている。光ファイバケーブル５０は、第１分岐ケース１における取入口から取り入れられ、第１分岐ケース１の内側で複数の光ファイバ５２に分岐される。分岐された光ファイバ５２は、第１分岐ケース１における取出口から取り出される。
【００７６】
取入部１１は、取入部本体１１Ａを備えている。図５にも示すように、取入部本体１１Ａには、前後方向（Ｙ方向）に向けて凹む断面略半円形状のケーブル受凹溝１１Ｂが形成されている。ケーブル受凹溝１１Ｂの径は、光ファイバケーブル５０における外皮５５の径と略同一とされており、ケーブル受凹溝１１Ｂには、光ファイバケーブル５０が嵌合する。ケーブル受凹溝１１Ｂには、正面した形状が矩形状をなす切込部１１Ｃが複数個所、図５に示す例では、４箇所に形成されている。これらの複数の切込部１１Ｃは、光ファイバの延出方向に沿って略等間隔に離間して配置されている。
【００７７】
ケーブル受凹溝１１Ｂにおける複数の切込部１１Ｃに隣接する位置には、四角すい状の突起部である鬼目突起部１１Ｄと、平面視した形状が三日月状をなす突起部である三日月状突起部１１Ｅと、が形成されている。鬼目突起部１１Ｄは、ケーブル受凹溝１１Ｂの延在方向に沿って等間隔に離間して配設されており、それぞれが複数の切込部１１Ｃにおけるそれぞれの上方位置に配置されている。三日月状突起部１１Ｅは、鬼目突起部１１Ｄの左右位置の８箇所及びその下側の２箇所の合計１０箇所に形成されている。これらの三日月状突起部１１Ｅは、２個が一組となってケーブル受凹溝１１Ｂの延在方向に沿って等間隔に離間して配設されている。取入部本体１１Ａにおけるケーブル受凹溝１１Ｂが形成された位置の左右側方位置には、それぞれねじ溝１１Ｆが形成されている。
【００７８】
これらの切込部１１Ｃ、鬼目突起部１１Ｄ、及び三日月状突起部１１Ｅは、他の箇所及び数で形成されていてもよい。切込部１１Ｃ、鬼目突起部１１Ｄ、及び三日月状突起部１１Ｅのいずれかが形成されていないようにしてもよいし、その一部のみが形成されているようにしてもよい。
【００７９】
取入部１１には、図４及び図６に示す把持部材（ケーブル固定部）１５が取り付けられている。把持部材１５は、把持部材本体１５Ａを備えている。把持部材本体１５Ａは、光ファイバケーブル５０と略同径のアーチ状をなす断面半円形の金属半環である。把持部材本体１５Ａの両側方には、板状の締付部１５Ｂがそれぞれ形成されている。
【００８０】
締付部１５Ｂには、貫通孔１５Ｃが形成されており、貫通孔１５Ｃは、取入部１１に形成されたねじ溝１１Ｆに相当する位置に形成されている。これらの貫通孔１５Ｃと取入部１１のねじ溝１１Ｆとが位置合わせされ、ねじ１６Ａを前方（Ｙ方向）からねじ溝１１Ｆにねじ込まれて、ねじ１６Ａによって締付部１５Ｂが取入部１１の取入部本体１１Ａに固定されている。
【００８１】
図７に示すように、取入部１１のケーブル受凹溝１１Ｂと把持部材１５の把持部材本体１５Ａの間には、光ファイバケーブル５０の外皮５５が挟み込まれている。こうして、光ファイバケーブル５０は、把持部材１５及び取入部１１によって把持されている。締付部１５Ｂと取入部本体１１Ａとの間には、ワッシャ１６Ｂが介在されている。
【００８２】
把持部材本体１５Ａの上下端には、円弧方向に沿って略等間隔に離間するノッチ部１５Ｄが形成されている。ノッチ部１５Ｄは、先端が尖った形状を成している。ノッチ部１５Ｄは、光ファイバケーブル５０の外皮５５が取入部１１及び把持部材１５に把持されている状態で、光ファイバケーブル５０の外皮５５に食い込んでいる。こうして、把持部材１５は、光ファイバケーブル５０の外皮５５の端部を分岐ケース本体１０の取入部１１に対して把持固定する。
【００８３】
図４及び図５に示すように、第１分岐ケース本体１０における収容部１２は、左壁部１２Ｌ及び右壁部１２Ｒを備えている。左壁部１２Ｌ及び右壁部１２Ｒの内側には、それぞれ左余空間形成壁部１２Ｃ及び右余空間形成壁部１２Ｄが形成されている。左壁部１２Ｌと左余空間形成壁部１２Ｃの上端辺には左上接続壁部１２Ｅが形成され、右壁部１２Ｒと右余空間形成壁部１２Ｄの上端辺には右上接続壁部１２Ｆが形成されている。左壁部１２Ｌ、左余空間形成壁部１２Ｃ、及び左上接続壁部１２Ｅに囲まれた領域に左余空間１２ＬＳが形成されている。右壁部１２Ｒ、右余空間形成壁部１２Ｄ、及び右上接続壁部１２Ｆに囲まれた領域に右余空間１２ＲＳが形成されている。
【００８４】
左壁部１２Ｌ及び右壁部１２Ｒは、正面視した上方が上下方向（Ｚ方向）に沿った直線状を成しており、下方は左壁部１２Ｌ及び右壁部１２Ｒが、下方にいくほど互いにわずかに離間する方向に傾斜する直線状に形成されている。左右余空間形成壁部１２Ｃ，１２Ｄは、正面視した上方が上下方向（Ｚ方向）に沿った直線状をなしている。ただし、左右余空間形成壁部１２Ｃ，１２Ｄにおける直線状の部位は、左右壁部１２Ｌ，１２Ｒにおける直線状の部位よりも短くされている。
【００８５】
左右余空間形成壁部１２Ｃ，１２Ｄにおける上方部よりも下方位置では、左余空間形成壁部１２Ｃ及び右余空間形成壁部１２Ｄが、下方にいくほど互いに離間する方向に傾斜する直線状をなしている。ただし、上方の上下方向に沿った直線と下方の傾斜状の直線とがなす角度は、左右余空間形成壁部１２Ｃ，１２Ｄの方が左右壁部１２Ｌ，１２Ｒよりも狭角側で小さく（急に）なっている。
【００８６】
左余空間形成壁部１２Ｃと右余空間形成壁部１２Ｄとの間には、光ファイバユニット５１が収容される光ファイバ収容部１２Ｓが形成されている。光ファイバ収容部１２Ｓの正面は、漏斗を天地逆さまにした逆漏斗形状をなしており、上方部１２ＳＡは縦長の長方形状をなし、下方部１２ＳＢは下方に行くほど拡幅する略三角形状をなしている。上方部１２ＳＡの底面は、ケーブル受凹溝１１Ｂと略同径の断面半円形状をなし、下方部１２ＳＢの底面は、平面状をなしている。光ファイバ収容部１２Ｓには、光ファイバケーブル５０から外皮５５が取り除かれた光ファイバユニット５１が収容されている。光ファイバユニット５１は、外皮５５とともにラッピングチューブ５４も取り外されている。
【００８７】
図１１に示すように、左余空間１２ＬＳの裏面側には左上取付孔１２ＳＬ１が形成され、右余空間１２ＲＳの裏面側には右上取付孔１２ＳＲ１が形成されている。光ファイバ収容部１２Ｓの裏面側には左下取付孔１２ＳＬ２及び右下取付孔１２ＳＲ２が形成されている。左下取付孔１２ＳＬ２及び右下取付孔１２ＳＲ２は、光ファイバ収容部１２Ｓにおける左側下端部及び右側下端部にそれぞれ形成されている。左上取付孔１２ＳＬ１と右上取付孔１２ＳＲ１、及び左下取付孔１２ＳＬ２と右下取付孔１２ＳＲ２は、それぞれ略同じ高さ位置に形成されている。
【００８８】
収容部１２における下方位置には、収容部１２及び取出口との間における光ファイバユニット５１を保護する保護チューブ６０を固定する固定部１３が形成されている。固定部１３は、図８に示すように、収容部１２における左壁部１２Ｌから延在する左壁延在部１３Ｌ及び右壁部１２Ｒから延在する右壁延在部１３Ｒを備えている。固定部１３は、第１仕切部材１３Ｃ、第２仕切部材１３Ｄ、第３仕切部材１３Ｅ、及び第４仕切部材１３Ｆを備えている。第１仕切部材１３Ｃ、第２仕切部材１３Ｄ、第３仕切部材１３Ｅ、及び第４仕切部材１３Ｆ、上方からこの順番で配置されている。第１仕切部材１３Ｃ、第２仕切部材１３Ｄ、第３仕切部材１３Ｅ、及び第４仕切部材１３Ｆは、いずれもくし歯状をなしている。
【００８９】
第１仕切部材１３Ｃは、左側から順に左右方向に略等間隔を置いて並設された第１仕切柱部材１３Ｃ１〜１３Ｃ５と第１仕切柱部材１３Ｃ１〜１３Ｃ５の下端部を接続する第１接続部材１３Ｃ６とを備えている。第２仕切部材１３Ｄは、左側から順に横方向に略等間隔を置いて並設された５本の第２仕切柱部材１３Ｄ１〜１３Ｄ５と第２仕切柱部材１３Ｄ１〜１３Ｄ５の下端部を接続する第２接続部材とを備えている。
【００９０】
第３仕切部材１３Ｅは、左側から順に横方向に略等間隔を置いて並設された５本の第３仕切柱部材１３Ｅ１〜１３Ｅ５と、第３仕切柱部材１３Ｅ１〜１３Ｅ５の下端部を接続する第３接続部材１３Ｅ６とを備えている。第４仕切部材１３Ｆは、左側から順に横方向に略等間隔を置いて並設された５本の第４仕切柱部材１３Ｆ１〜１３Ｆ５と、第４仕切柱部材１３Ｆ１〜１３Ｆ５の下端部を接続する第４接続部材１３Ｆ６とを備えている。仕切部材１３Ｃ〜１３Ｆでは、隣接する柱部材に保護チューブ６０が挿通されている。
【００９１】
第１仕切柱部材１３Ｃ１〜１３Ｃ５は、保護チューブ６０の長手方向に対して交差する方向、ここでは直交する方向に延在している。第２仕切柱部材１３Ｄ１〜１３Ｄ５、第３仕切柱部材１３Ｅ１〜１３Ｅ５、及び第４仕切柱部材１３Ｆ１〜１３Ｆ５も、保護チューブ６０の長手方向に対して交差する方向、ここでは直交する方向に延在している。
【００９２】
第１仕切部材１３Ｃにおける第１仕切柱部材１３Ｃ１，１３Ｃ２と第１接続部材１３Ｃ６との接続部位は、断面半円状に形成されている。その接続部位の径は、保護チューブ６０の径とほぼ同径とされている。ただし、保護チューブ６０の径よりも大きい径であってもよいし、保護チューブ６０の径よりも小さい径であってもよい。その他の第１仕切柱部材１３Ｃ２〜１３Ｃ５と第１接続部材１３Ｃ６とのそれぞれの接続部位も、同一形状とされている。第２仕切部材１３Ｄにおける第２仕切柱部材１３Ｄ１〜１３Ｄ５と第２接続部材との接続部位も同様の断面半円状に形成されている。第３仕切部材１３Ｅにおける第３仕切柱部材１３Ｅ１〜１３Ｅ５と第３接続部材１３Ｅ６との接続部位も同様の断面半円状に形成されている。第４仕切部材１３Ｆにおける第４仕切柱部材１３Ｆ１〜１３Ｆ５と第４接続部材１３Ｆ６との接続部位も同様の断面半円状に形成されている。
【００９３】
第１仕切部材１３Ｃにおける第１仕切柱部材１３Ｃ１〜１３Ｃ５は、いずれも断面が凸形状をなす柱状体である。第２仕切部材１３Ｄにおける第２仕切柱部材１３Ｄ１〜１３Ｄ５は、いずれも断面がＴ字形状をなす柱状体である。第３仕切部材１３Ｅにおける第３仕切柱部材１３Ｅ１〜１３Ｅ５は、いずれも断面が矩形をなす柱状体である。第４仕切部材１３Ｆにおける第４仕切柱部材１３Ｆ１〜１３Ｆ５は、いずれも下端が円弧状とされた矩形の断面をなす柱状体である。
【００９４】
第１仕切部材１３Ｃにおける第１仕切柱部材１３Ｃ１〜１３Ｃ５の底辺と、第２仕切部材１３Ｄにおける第２仕切柱部材１３Ｄ１〜１３Ｄ５の上辺とは、互いに略同一の長さとされている。第２仕切部材１３Ｄにおける第２仕切柱部材１３Ｄ１〜１３Ｄ５の底辺と第３仕切部材１３Ｅにおける第３仕切柱部材１３Ｅ１〜１３Ｅ５の上辺とは、互いに略同一の長さとされている。第３仕切部材１３Ｅにおける第３仕切柱部材１３Ｅ１〜１３Ｅ５の底辺と第４仕切部材１３Ｆにおける第４仕切柱部材１３Ｆ１〜１３Ｆ５の上辺とは、互いに略同一の長さとされている。
【００９５】
第１仕切部材１３Ｃにおける第１仕切左端柱部材１３Ｃ１と左壁延在部１３Ｌとの間には、第１仕切第１凹部１３ＣＨ１が形成されている。第１仕切部材１３Ｃにおける第１仕切柱部材１３Ｃ１〜１３Ｃ５の互いに隣接する第１仕切柱部材同士の間、及び第１仕切右端柱部材１３Ｃ５と右壁延在部１３Ｒとの間にも、同様に第１仕切第２凹部〜第１仕切第６凹部が形成されている。第１仕切第１凹部〜第１仕切第６凹部の幅はいずれも略同一とされている。
【００９６】
第２仕切部材１３Ｄにおける第２仕切左端柱部材１３Ｄ１と左壁延在部１３Ｌとの間には、図示しない第２仕切第１凹部が形成されている。第２仕切部材１３Ｄにおける第２仕切柱部材１３Ｄ１〜１３Ｄ５の互いに隣接する第２仕切柱部材同士の間、及び第２仕切右端柱部材１３Ｄ５と右壁延在部１３Ｒとの間にも、第２仕切第２凹部〜第２仕切第６凹部が形成されている。第２仕切第１凹部〜第２仕切第６凹部の幅はいずれも略同一とされている。
【００９７】
第３仕切部材１３Ｅにおける第３仕切左端柱部材１３Ｅ１と左壁延在部１３Ｌとの間には、図示しない第３仕切第１凹部が形成されている。第３仕切部材１３Ｅにおける第３仕切柱部材１３Ｅ１〜１３Ｅ５の互いに隣接する第３仕切柱部材同士の間、及び第３仕切右端柱部材１３Ｅ５と右壁延在部１３Ｒとの間にも、第３仕切第２凹部〜第３仕切第６凹部が形成されている。第３仕切第１凹部〜第３仕切第６凹部の幅はいずれも略同一とされている。
【００９８】
第４仕切部材１３Ｆにおける第４仕切左端柱部材１３Ｆ１と左壁延在部１３Ｌとの間には、図示しない第４仕切第１凹部が形成されている。第４仕切部材１３Ｆにおける第４仕切柱部材１３Ｆ１〜１３Ｆ５の互いに隣接する第４仕切柱部材同士の間、及び第４仕切右端柱部材１３Ｆ５と右壁延在部１３Ｒとの間にも、第４仕切第２凹部〜第４仕切第６凹部が形成されている。第４仕切第１凹部〜第４仕切第６凹部の幅はいずれも略同一とされている。
【００９９】
第１仕切第１凹部１３ＣＨ１、第２仕切第１凹部、第３仕切第１凹部、第４仕切第１凹部の幅はいずれも略同一とされている。同様に、第１仕切第２凹部〜第１仕切第６凹部、第２仕切第２凹部〜第２仕切第６凹部、第３仕切第２凹部〜第３仕切第６凹部、及び第４仕切第２凹部〜第４仕切第６凹部の幅はいずれも略同一とされている。
【０１００】
第１仕切部材１３Ｃと第２仕切部材１３Ｄとの間に相当する左壁延在部１３Ｌには、左方向に凹む第１左切欠き部１３Ａ１が形成されている。第１仕切部材１３Ｃと第２仕切部材１３Ｄとの間に相当する右壁延在部１３Ｒには、右方向に凹む第１右切欠き部１３Ｂ１が形成されている。同様に、第２仕切部材１３Ｄと第３仕切部材１３Ｅとの間に相当する左壁延在部１３Ｌには、第２左切欠き部１３Ａ２が形成されている。第２仕切部材１３Ｄと第３仕切部材１３Ｅとの間に相当する右壁延在部１３Ｒには、第２右切欠き部１３Ｂ２が形成されている。第３仕切部材１３Ｅと第４仕切部材１３Ｆとの間に相当する左壁延在部１３Ｌには、第３左切欠き部１３Ａ３が形成されている。第３仕切部材１３Ｅと第４仕切部材１３Ｆとの間に相当する右壁延在部１３Ｒには、第３右切欠き部１３Ｂ３が形成されている。
【０１０１】
第１仕切部材１３Ｃと第２仕切部材１３Ｄとの間には、図４及び図１０に示すストッパ１７が収容されている。ストッパ１７は、第１仕切部材１３Ｃと第２仕切部材１３Ｄに配置され、第１左切欠き部１３Ａ１及び第１右切欠き部１３Ｂ１に挟み込まれる。第１左切欠き部１３Ａ１及び第１右切欠き部１３Ｂ１の幅は、ストッパ１７の厚さと略同一とされている。第１左切欠き部１３Ａ１及び第１右切欠き部１３Ｂ１の幅は、ストッパ１７の厚さよりもわずかに短くてもよいし、逆に長くてもよい。
【０１０２】
ストッパ１７は、柔軟性を有するスポンジからなる。図１０に示すように、ストッパ１７は、左側から順に左右方向に略等間隔を置いて形成された第１切込部１７Ａ〜第６切込部１７Ｆを備えている。切込部１７Ａ〜１７Ｆは、ストッパ１７の前面から背面方向に切り込まれて形成されており、背面に到達するよりも前で切込みが終わっている。第１切込部１７Ａ〜第６切込部１７Ｆの離間距離は、第１仕切部材１３Ｃにおける第１仕切柱部材１３Ｃ１〜１３Ｃ５の離間距離と略同一である。
【０１０３】
第１切込部１７Ａには、第１前位置決め孔１７Ａ１及び第１後位置決め孔１７Ａ２が形成されている。第１前位置決め孔１７Ａ１と第１後位置決め孔１７Ａ２の離間距離は、光ファイバユニット５１の直径と略同径とされている。第２切込部１７Ｂ〜第６切込部１７Ｆにも同様に、第２前位置決め孔１７Ｂ１〜第６前位置決め孔１７Ｆ１及び第２後位置決め孔１７Ｂ２〜第６後位置決め孔１７Ｆ２が形成されている。これらの位置決め孔１７Ａ１〜１７Ｆ１，１７Ａ２〜１７Ｆ２には、いずれも光ファイバユニット５１が取り付けられている。第１切込部１７Ａ〜第６切込部１７Ｆには、それぞれ２段に光ファイバユニット５１が取り付けられている。第１前位置決め孔１７Ａ１〜第６前位置決め孔１７Ｆ１及び第１後位置決め孔１７Ａ２〜第６後位置決め孔１７Ｆ２は、いずれも光ファイバユニット５１が取り付けられることで、光ファイバユニット５１とほぼ同径となるように拡幅する。
【０１０４】
光ファイバユニット５１をストッパ１７に取り付ける際には、図１０に示すように、ストッパ１７の前面方向から第１切込部１７Ａに光ファイバユニット５１を挿入する。そのまま光ファイバユニット５１を底面方向に向けて移動させて、第１後位置決め孔１７Ａ２の位置に取り付ける。続いて、ストッパ１７の前面方向から第１切込部１７Ａの第１切込部１７Ａに光ファイバユニット５１を挿入する。そのまま光ファイバユニット５１を底面方向に向けて移動させて、第１前位置決め孔１７Ａ１の位置に取り付ける。
【０１０５】
ストッパ１７は、第１分岐ケース１に収容される前は、図１０に仮想線で示すように、全面の中央部が側方部よりも後退した形状をなしている。ストッパ１７が第１分岐ケース１に収容され、第１分岐ケース本体１０に第１分岐ケース蓋部材２０が取り付けられると、ストッパ１７は、第１分岐ケース本体１０と第１分岐ケース蓋部材２０に押しつぶされて図１０に実線で示すように、矩形状となる。ストッパ１７が第１分岐ケース本体１０と第１分岐ケース蓋部材２０に押しつぶされることで、ストッパ１７は、第１分岐ケース本体１０と第１分岐ケース蓋部材２０に密着する。
【０１０６】
第２仕切部材１３Ｄと第３仕切部材１３Ｅとの間には、上固定プレート１８が収容されており、第２仕切部材１３Ｄ及び第３仕切部材１３Ｅは上固定プレート１８を支持している。第２仕切部材１３Ｄ及び第３仕切部材１３Ｅは上固定プレート１８の支持部材である。上固定プレート１８は、例えば外形が矩形をなす金属製の板であり、第２仕切部材１３Ｄと第３仕切部材１３Ｅの間に配置され、第２左切欠き部１３Ａ２及び第２右切欠き部１３Ｂ２に挟み込まれる。こうして、上固定プレート１８は、複数の柱部材の間に架け渡されている。第２左切欠き部１３Ａ２及び第２右切欠き部１３Ｂ２の幅は、上固定プレート１８の厚さよりも長くされている。ただし、第２左切欠き部１３Ａ２及び第２右切欠き部１３Ｂ２の幅は、上固定プレート１８の厚さと略同一であってもよい。
【０１０７】
上固定プレート１８は、保護チューブ６０を挿入固定する上固定溝１８Ａ〜１８Ｆを備えている。上固定プレート１８は、上第１固定溝１８Ａ〜上第６固定溝１８Ｆが並設されたくし歯状をなしている。上固定プレート１８には、左側から順に左右方向に略等間隔をおいて形成された上第１固定溝１８Ａ〜上第６固定溝１８Ｆが形成されている。上第１固定溝１８Ａ〜上第６固定溝１８Ｆの幅は、互いに略とされている。上第１固定溝１８Ａの幅は、左壁延在部１３Ｌと第１仕切部材１３Ｃにおける第１仕切左端柱部材１３Ｃ１の間の幅よりも短く、保護チューブ６０の幅よりも長くされている。上第１固定溝１８Ａ〜上第６固定溝１８Ｆの幅方向中心部間の離間距離は、第１仕切部材１３Ｃにおける第１仕切柱部材１３Ｃ１〜１３Ｃ５の間における幅方向中心部間の離間距離と略同一である。
【０１０８】
上固定プレート１８の上第１固定溝１８Ａを構成する両側端辺は、第２仕切部材１３Ｄにおける第２仕切柱部材１３Ｄ１，１３Ｄ２の間よりも内側方向に突出する。上固定プレート１８の上第１固定溝１８Ａを構成する両側端辺は、保護チューブ６０を引き留める突起となっている。上固定プレート１８の上第２固定溝１８Ｂ〜第６固定溝１８Ｆを構成する両側端辺も同様に、保護チューブ６０を引き留める突起となっている。
【０１０９】
第３仕切部材１３Ｅと第４仕切部材１３Ｆとの間には、下固定プレート１９が収容されている。第３仕切部材１３Ｅ及び第４仕切部材１３Ｆは下固定プレート１９を支持している。第３仕切部材１３Ｅ及び第４仕切部材１３Ｆは下固定プレート１９の支持部材である。下固定プレート１９は、例えば外形が矩形をなす金属製の板であり、第３仕切部材１３Ｅと第４仕切部材１３Ｆに間に配置され、第３左切欠き部１３Ａ３及び第３右切欠き部１３Ｂ３に挟み込まれる。下固定プレート１９は、上固定プレート１８と略同一形状を成している。第３左切欠き部１３Ａ３及び第３右切欠き部１３Ｂ３の幅は、下固定プレート１９の厚さよりも長くされている。ただし、第３左切欠き部１３Ａ３及び第３右切欠き部１３Ｂ３の幅は、下固定プレート１９の厚さと略同一であってもよい。
【０１１０】
下固定プレート１９の下第１固定溝１９Ａを構成する両側端辺は、第３仕切部材１３Ｅにおける第３仕切柱部材１３Ｅ１，Ｅ２の間よりも内側方向に突出する。下固定プレート１９の下第１固定溝１９Ａを構成する両側端辺は、保護チューブ６０を引き留める突起となっている。下固定プレート１９の下第２固定溝１９Ｂ〜下第６固定溝１９Ｆを構成する両側端辺も同様に、保護チューブ６０を引き留める突起となっている。
【０１１１】
下固定プレート１９は、上固定プレート１８と同様、保護チューブ６０を挿入固定する下第１固定溝１９Ａ〜下第６固定溝１９Ｆを備えている。下固定プレート１９は、下第１固定溝１９Ａ〜下第６固定溝１９Ｆが並設されたくし歯状をなしている。下固定プレート１９には、左側から順に左右方向に略等間隔を置いて形成された下第１固定溝１９Ａ〜下第６固定溝１９Ｆが形成されている。下第１固定溝１９Ａ〜下第６固定溝１９Ｆの幅は、互いに略同一とされている。下第１固定溝１９Ａの幅は、左壁延在部１３Ｌと第２仕切部材１３Ｄにおける第２仕切左端柱部材１３Ｄ１の間の幅よりも短く、保護チューブ６０の幅よりも長くされている。下第１固定溝１９Ａ〜下第６固定溝１９Ｆの幅方向中心部間の離間距離は、第２仕切部材１３Ｄにおける第２仕切柱部材１３Ｄ１〜１３Ｄ５の間における幅方向中心部間の離間距離と略同一である。
【０１１２】
ストッパ１７よりも下側に配置される光ファイバユニット５１は、保護チューブ６０が被せられて保護チューブ６０によって保護される。光ファイバユニット５１に被せられた保護チューブ６０は、上固定プレート１８及び下固定プレート１９によって固定されている。保護チューブ６０を上固定プレート１８及び下固定プレート１９に固定させる際には、図９Ａ、図９Ｂに示すように、上下固定プレート１８，１９の固定溝１８Ａ〜１８Ｆ，１９Ａ〜１９Ｆの前面方向から保護チューブ６０を挿入する。
【０１１３】
固定溝１８Ａ〜１８Ｆ，１９Ａ〜１９Ｆの幅は、保護チューブ６０の幅よりも狭くされている。その一方で、保護チューブ６０は、柔軟性を有している。このため、上下固定プレート１８，１９の固定溝１８Ａ〜１８Ｆ，１９Ａ〜１９Ｆの前面方向から保護チューブ６０を挿入すると、図９Ｃ、図９Ｄに示すように、保護チューブ６０が撓んで固定溝１８Ａ〜１８Ｆ，１９Ａ〜１９Ｆの間に挿入される。このとき、保護チューブ６０の弾性力によって、固定溝１８Ａ〜１８Ｆ，１９Ａ〜１９Ｆに保護チューブ６０が拘束される。こうして、保護チューブ６０は、固定溝１８Ａ〜１８Ｆ，１９Ａ〜１９Ｆに固定される。固定部１３は、これらの上固定プレート１８及び下固定プレート１９によって保護チューブ６０を把持固定する。固定部１３には、上固定プレート１８及び下固定プレート１９の２枚の固定プレートが設けられているが、固定プレートは、１枚でもよいし３枚以上でもよい。固定プレート１８，１９には、複数である６個の固定溝１８Ａ〜１８Ｆ，１９Ａ〜１９Ｆが形成されているが、固定溝は、単数でもよいし、６個以外の複数個であってもよい。
【０１１４】
固定部１３に把持固定される保護チューブ６０には、インサートリング（保形部材）６１が収容されている。インサートリング６１は、保護チューブ６０の長手方向に沿って配設される筒状部６１Ａと、筒状部６１Ａの先端部に設けられ、筒状部６１Ａよりも大径である拡幅部となるリング部６１Ｂを備えて構成された金属製の部材である。筒状部６１Ａの外径は、保護チューブ６０の内径と略同一とされており、その内側に中空部が形成されている。
【０１１５】
インサートリング６１における筒状部６１Ａに光ファイバユニット５１が挿通される。リング部６１Ｂは、筒状部６１Ａよりも大径の円環状をなしており、その外径は、保護チューブ６０の外径よりも大きくされている。インサートリング６１は、筒状部６１Ａが保護チューブ６０の内側に配置され、リング部６１Ｂが保護チューブ６０の先端部外側に配置されている。保護チューブ６０が固定部１３に把持固定される際には、インサートリング６１のリング部６１Ｂが第２仕切部材１３Ｄにおける第２仕切柱部材１３Ｄ１の先端に沿って配置されている。
【０１１６】
固定部１３における取入部１１の反対側には、取出部１４が形成されている。取出部１４は、第１分岐ケース本体１０の下端部に形成された前方及び上方が開口する開口部と、第１分岐ケース蓋部材２０の下端部に形成された前方及び下方が開口する開口部とが重なり合って形成されている。このため、取出部１４は、下方が開口する開口部として形成されている。
【０１１７】
第１分岐ケース本体１０における右壁部１２Ｒの外側上方位置及び外側下方位置には、嵌合突起１２Ｇ，１２Ｈが形成されている。第１分岐ケース本体１０における左壁部１２Ｌの外側上方位置及び外側下方位置にも、同様の図示しない嵌合突起が形成されている。これらの嵌合突起１２Ｇ，１２Ｈ及び図示しない嵌合突起は、いずれも同一形状を成している。
【０１１８】
図１１に示すように、第１分岐ケース１における第１分岐ケース蓋部材２０の内側形状は、第１分岐ケース本体１０における嵌合突起１２Ｇ，１２Ｈ及び図示しない嵌合突起を除いた外形と略同一形状の内側形状を成している。第１分岐ケース蓋部材２０は、前面板２１を備えており、前面板２１の側縁に沿ってそれぞれ上面板２２、左側面板２３、右側面板２４が取り付けられている。
【０１１９】
上面板２２には、図１１に示すように、ケーブル取入孔２２Ａが形成されている。ケーブル取入孔２２Ａは、手前側が半円形状をなしており、後方が略長方形状をなしている。第１分岐ケース本体１０に第１分岐ケース蓋部材２０が取り付けられたときには、第１分岐ケース本体１０におけるケーブル受凹溝１１Ｂと、第１分岐ケース蓋部材２０におけるケーブル取入孔２２Ａによって、光ファイバケーブル５０の取入口が形成される。
【０１２０】
左側面板２３の上方位置及び下方位置には、それぞれ嵌合孔２３Ａ，２３Ｂが形成されている。右側面板２４の上方位置及び下方位置には、それぞれ嵌合孔２４Ａ，２４Ｂが形成されている。嵌合孔２３Ａ，２３Ｂは、第１分岐ケース本体１０における左壁部１２Ｌに形成された図示しない嵌合突起が嵌合可能とされている。嵌合孔２４Ａ，２４Ｂは、第１分岐ケース本体１０における右壁部１２Ｒに形成された嵌合突起１２Ｇ，１２Ｈが嵌合可能とされている。第１分岐ケース蓋部材２０における嵌合孔２３Ａ，２３Ｂ，２４Ａ，２４Ｂに第１分岐ケース本体１０における図示しない嵌合突起及び嵌合突起１２Ｇ，１２Ｈが嵌合することにより、第１分岐ケース蓋部材２０が第１分岐ケース本体１０に固定されて取り付けられる。第１分岐ケース本体１０に第２分岐ケース蓋部材２０が取り付けられた際に、第１分岐ケース１の下端部に開口部が形成される。この開口部が光ファイバ５２の取出口となる。
【０１２１】
前面板２１における幅方向中央の上方位置には、第１注入孔２１Ｈ１が形成されており、第１注入孔２１Ｈ１の下方位置には、第２注入孔２１Ｈ２が形成されている。第１注入孔２１Ｈ１は、第１分岐ケース蓋部材２０が第１分岐ケース本体１０に取り付けられた際に、第１分岐ケース本体１０の収容部１２における光ファイバ収容部１２Ｓの上方部に相当する高さ位置に形成されている。第２注入孔２１Ｈ２は、第１分岐ケース蓋部材２０が第１分岐ケース本体１０に取り付けられた際に、第１分岐ケース本体１０の収容部１２における光ファイバ収容部１２Ｓの下方部に相当する高さ位置に形成されている。
【０１２２】
第１注入孔２１Ｈ１には、図３に示す第１注入孔閉塞蓋２５が嵌め込まれている。第１注入孔閉塞蓋２５は、第１注入孔２１Ｈ１の内径とほぼ同径の円柱状の本体と、本体に取り付けられ、本体の径よりも大径の頭部とを備えている。第１注入孔閉塞蓋２５は、本体が第１注入孔２１Ｈ１に嵌め込まれ、頭部によって第１注入孔２１Ｈ１が塞がれる。第２注入孔２１Ｈ２に対して、第１注入孔閉塞蓋２５と同一形状の第２注入孔閉塞蓋２６が嵌め込まれている。前面板２１には、第１注入孔２１Ｈ１及び第１注入孔２１Ｈ１の２つの注入孔が形成されているが、１つの注入孔が形成されていてもよいし、３つ以上の注入孔が形成されていてもよい。
【０１２３】
前面板２１における裏面の左側には、上下方向に延在する左第１突条部２１ＬＡ及び左第１突条部２１ＬＡにおおよそ沿った左第２突条部２１ＬＢが形成されている。前面板２１における裏面に右側には、上下方向に延在する右第１突条部２１ＲＡ及び右第１突条部２１ＲＡにおおよそ沿った右第２突条部２１ＲＢが形成されている。
【０１２４】
左第１突条部２１ＬＡは、第１分岐ケース蓋部材２０が第１分岐ケース本体１０に取り付けられた際に、第１分岐ケース本体１０における左余空間形成壁部１２Ｃの上端辺の外側に沿う位置に形成されている。左第２突条部２１ＬＢは、第１分岐ケース蓋部材２０が第１分岐ケース本体１０に取り付けられた際に、第１分岐ケース本体１０における左余空間形成壁部１２Ｃの上端辺の内側に沿う位置に形成されている。
【０１２５】
右第１突条部２１ＲＡは、第１分岐ケース蓋部材２０が第１分岐ケース本体１０に取り付けられた際に、第１分岐ケース本体１０における右余空間形成壁部１２Ｄの上端辺の外側に沿う位置に形成されている。右第２突条部２１ＲＢは、第１分岐ケース蓋部材２０が第１分岐ケース本体１０に取り付けられた際に、第１分岐ケース本体１０における右余空間形成壁部１２Ｄの上端辺の内側に沿う位置に形成されている。
【０１２６】
左第１突条部２１ＬＡと左第２突条部２１ＬＢとの間の幅は、左壁部１２Ｌの厚さと略同一とされている。ただし、左第１突条部２１ＬＡと左第２突条部２１ＬＢとの間の幅は、左余空間形成壁部１２Ｃの厚さよりも厚くてもよい。右第１突条部２１ＲＡと右第２突条部２１ＲＢとの間の幅は、右余空間形成壁部１２Ｄの厚さと略同一とされている。右第１突条部２１ＲＡと右第２突条部２１ＲＢとの間の幅は、右壁部１２Ｒの厚さよりも厚くてもよい。
【０１２７】
前面板２１における裏面側の下端部には、保護チューブ受部２１Ｕ１〜２１Ｕ６が形成されている。保護チューブ受部２１Ｕ１〜２１Ｕ６は、断面略半円形状の溝部を備えている。保護チューブ受部２１Ｕ１〜２１Ｕ６における溝部の径は、保護チューブ６０の径とほぼ同径とされている。ただし、保護チューブ６０の径よりも大きい径であってもよいし、保護チューブ６０の径よりも小さい径であってもよい。保護チューブ受部２１Ｕ１〜２１Ｕ６は、第１分岐ケース蓋部材２０が第１分岐ケース本体１０に取り付けられた際に、第４仕切部材１３Ｆに相当する位置に配置されている。
【０１２８】
図３及び図４に示すように、前面板２１の裏面側に形成された保護チューブ受部２１Ｕ１〜２１Ｕ６に対応する前面板２１の表面側には、それぞれ番号表示２１Ｎ１〜２１Ｎ６が形成されている。第１番号表示２１Ｎ１には「２」の文字が表示され、第２番号表示２１Ｎ２には「４」の文字が表示され、第３番号表示２１Ｎ３には「６」の文字が表示されている。第４番号表示２１Ｎ４には「８」の文字が表示され、第５番号表示２１Ｎ５には「１０」の文字が表示され、第６番号表示２１Ｎ６には「１２」の文字が表示されている。図示しないが、第１分岐ケース本体１０の収容部における固定部１３の裏面側には、「１」「３」「５」「７」「９」「１１」の文字が表示された番号表示が設けられている。
【０１２９】
第１分岐ケース蓋部材２０が第１分岐ケース本体１０に取り付けられた第１分岐ケース１における光ファイバ収容部１２Ｓの内部空間には、光ファイバ５２が配置されている。光ファイバ収容部１２Ｓの内部空間には、樹脂材が充てんされている。樹脂材は、１液性弾性接着剤である。樹脂材は、注入時には液体状であり、注入後に時間の経過に伴って固化する。樹脂材が固化したときの粘度は、２２．０Ｐａ・Ｓである。ただし、樹脂材としては、２液性弾性接着剤などの他の樹脂材を用いてもよい。樹脂材の粘度は、上記の粘度以外のものでもよい。
【０１３０】
図４に示すように、取付プレート３０は、分岐ケース取付部３１と、設置位置取付部３２とを備えて構成されている。分岐ケース取付部３１には、左上貫通孔３１Ｌ１、左下貫通孔３１Ｌ２、右上貫通孔３１Ｒ１、右下貫通孔３１Ｒ２が形成されている。左上貫通孔３１Ｌ１、左下貫通孔３１Ｌ２、右上貫通孔３１Ｒ１、右下貫通孔３１Ｒ２は、第１分岐ケース１における左上取付孔１２ＳＬ１、左下取付孔１２ＳＬ２、右上取付孔１２ＳＲ１、右下取付孔１２ＳＲ２にそれぞれ対応する位置に形成されている。左上貫通孔３１Ｌ１、左下貫通孔３１Ｌ２、右上貫通孔３１Ｒ１、右下貫通孔３１Ｒ２と左上取付孔１２ＳＬ１、左下取付孔１２ＳＬ２、右上取付孔１２ＳＲ１、右下取付孔１２ＳＲ２とをそれぞれねじ３３等で接続することで、取付プレート３０に第１分岐ケース１が取り付けられる。
【０１３１】
設置位置取付部３２は、分岐ケース取付部３１の上方に形成されている。設置位置取付部３２の上端部左側には、左取付孔３２Ｌが形成されている。設置位置取付部３２の上端部右側には、右取付孔３２Ｒが形成されている。左取付孔３２Ｌ及び右取付孔３２Ｒは、光ファイバケーブル５０の直径よりも長い距離だけ離れて配置されている。
【０１３２】
図４及び図１２に示すように、第２分岐ケース２は、第２分岐ケース本体２Ａと、第２分岐ケース蓋部材２Ｂとを備えて構成されている。第２分岐ケース本体２Ａは、取入部４１と、収容部４２と、取出部４３とを備えている。取入部４１は、第１分岐ケース１における固定部１３と類似する仕切部４１Ａ１〜４１Ａ３を備えており、第１仕切部４１Ａ１と第２仕切部４１Ａ２との間、及び第２仕切部４１Ａ２と第３仕切部４１Ａ３との間に、それぞれ固定プレート４１Ｂ１，４１Ｂ２が設けられている。第１仕切部４１Ａ１〜第３仕切部４１Ａ３及び固定プレート４１Ｂ１，４１Ｂ２には、それぞれ１つの溝部が形成されている。取入部４１の上端には、保護チューブ６０に保護された光ファイバユニットを取り入れる光ファイバユニット取入口４１Ｃが形成されている。
【０１３３】
収容部４２は、正面視した形状が略三角形をなしており、光ファイバユニット５１がほどかれた光ファイバ５２が収容される。取出部４３は、第１仕切部４３Ａ１，第２仕切部４３Ａ２、及び第３仕切部４３Ａ３を備えている。第１仕切部４３Ａ１と第２仕切部４３Ａ２の間、及び第２仕切部４３Ａ２と第３仕切部４３Ａ３との間には、それぞれ固定プレート４３Ｂ１，４３Ｂ２が設けられている。第１仕切部４３Ａ１〜第３仕切部４３Ａ３及び固定プレート４３Ｂ１，４３Ｂ２には、それぞれ２つの溝部が形成されている。取出部４３の下端には、光ファイバ５２を取り出す光ファイバ取出口４３Ｃが形成されている。第２分岐ケース本体２Ａの左右側面の上下位置には、それぞれ図示しない嵌合突起及び嵌合突起４４Ａ，４４Ｂが設けられている。
【０１３４】
第２分岐ケース本体２Ａには、第２分岐ケース蓋部材２Ｂが取り付けられる。第２分岐ケース蓋部材２Ｂの内側形状は、第２分岐ケース本体２Ａから嵌合突起４４Ａ，４４Ｂ及び図示しない嵌合突起を除いた外側形状と略同一である。第２分岐ケース蓋部材２Ｂには、図４に示すように、注入孔４５が形成されており、注入孔４５には注入孔閉塞蓋４５Ａが取り付けられている。収容部４２には、樹脂材は充てんされていないが、樹脂材を充てんしてもよい。
【０１３５】
第２分岐ケース蓋部材２Ｂにも番号表示４６Ａ，４６Ｂが設けられている。番号表示４６Ａ，４６Ｂが設けられた面の裏面側には、保護チューブ受部４７Ａ，４７Ｂが設けられている。保護チューブ受部４７Ａ，４７Ｂは、断面略半円形状の溝部を備えている。保護チューブ受部４７Ａ，４７Ｂにおける溝部の径は、保護チューブ６０の径とほぼ同径とされている。ただし、保護チューブ６０の径よりも大きい径であってもよいし、保護チューブ６０の径よりも小さい径であってもよい。保護チューブ受部４７Ａ，４７Ｂ、第２分岐ケース蓋部材２Ｂが第２分岐ケース本体２Ａに取り付けられた際に、固定プレート４３Ｂ１，４３Ｂ２に相当する位置に配置されている。
【０１３６】
第２分岐ケース蓋部材２Ｂの左右側面の上下位置には、図示しない嵌合凹部及び嵌合凹部４８Ａ，４８Ｂが形成されている。第２分岐ケース本体２Ａに設けられた図示しない嵌合突起及び嵌合突起４４Ａ，４４Ｂが図示しない嵌合凹部及び嵌合凹部４８Ａ，４８Ｂに嵌合されることにより、第２分岐ケース本体２Ａに第２分岐ケース蓋部材２Ｂが固定されて取り付けられる。
【０１３７】
第２分岐ケース２から取り出された間欠固定心線５２Ａ（光ファイバ５２）は、図１６に示すように、ラック１１０に載置されている融着トレー１２０に導入されている。融着トレー１２０は、ラック１１０に複数個並置されている。間欠固定心線５２Ａは、図１７に示すように、保護チューブ６０とともに融着トレー１２０の内側に導入される。
【０１３８】
保護チューブ６０は、融着トレー１２０の内側において、間欠固定心線５２Ａから外される。保護チューブ６０を外された間欠固定心線５２Ａは、光ファイバ５２に解かれる。光ファイバ５２は、融着接続部１２１において、別の光ファイバである接続光ファイバ１２２に接続される。
【０１３９】
融着トレー１２０の後端部には、光コネクタアダプタ１２３が設けられている。光コネクタアダプタ１２３には、融着トレー１２０の内側と外側のそれぞれにおいて、光コネクタが挿脱可能とされたコネクタ口が設けられている。融着トレー１２０の内側と外側では、光コネクタが対となって配置されている。
【０１４０】
接続光ファイバ１２２の一端側は、融着接続部１２１に接続されている。接続光ファイバ１２２の他端側には、光コネクタ１２２Ａが設けられている。光コネクタ１２２Ａは、融着トレー１２０の内側に配置された光コネクタアダプタ１２３のアダプタ口に嵌合されている。外部光ファイバ１２４の外部光コネクタ１２４Ａは、融着トレー１２０の外側に配置された光コネクタアダプタ１２３のアダプタ口に嵌合されている。光コネクタアダプタ１２３のアダプタ口では、接続光ファイバ１２２の光コネクタ１２２Ａと外部光ファイバ１２４の外部光コネクタ１２４Ａが向かい合って配置される。こうして、接続光ファイバ１２２と外部光ファイバ１２４とがコネクタ接続（光接続）される。融着トレー１２０に導入される対象は、間欠固定心線５２Ａに限定されず、光ファイバユニット５１などの光ファイバ心線束であってもよいし、光ファイバ５２などであってもよい。
【０１４１】
ラック１１０におけるフレーム１３０には、プレート部材１４０が設けられており、光ファイバケーブル分岐構造１００における第１分岐ケース１がプレート部材１４０に取り付けられる。プレート部材１４０は、ラック１１０の上方に配置されている。第１分岐ケース１をプレート部材１４０に取り付ける際には、第１分岐ケース１における取付プレート３０の設置位置取付部３２に形成された左取付孔３２Ｌ及び右取付孔３２Ｒにボルト等の接合部材を取り付けて、この接合部材によって取付プレート３０をプレート部材１４０に取り付ける。左取付孔３２Ｌ及び右取付孔３２Ｒは、光ファイバケーブル５０の直径よりも長い距離だけ離れて配置されている。このため、第１分岐ケース１をプレート部材１４０に取り付ける際に、左取付孔３２Ｌ及び右取付孔３２Ｒを光ファイバケーブル５０が重ならない位置に配置することができる。したがって、左取付孔３２Ｌ及び右取付孔３２Ｒにボルト等の接合部材を取り付ける際に、光ファイバケーブル５０が邪魔にならないようにすることができる。第２分岐ケース２は、フレーム１３０やプレート部材１４０に取り付けられることはなく、そのまま吊り下げられている。光ファイバケーブル５０に光ファイバ５２は、第１分岐ケース１で少数の光ファイバ５２に分岐されている。このため、第２分岐ケース２は、小型かつ軽量のもので済ませることができるので、吊り下げた状態で容易に取り付けることができる。プレート部材１４０は、ラック１１０の上方に取り付けられているので、第２分岐ケース２を吊り下げるスペースを十分に確保することができる。
【０１４２】
第１分岐ケース１は、プレート部材１４０にボルト等の接合部材で取り付けられる以外にしてもよい。例えば、第１分岐ケース１を吊り下げたままとしてもよいし、紐等でフレーム１３０に括り付けるようにしてもよい。第２分岐ケース２をフレーム１３０やプレート部材１４０に取り付けるようにしてもよい。フレーム１３０にプレート部材１４０が設けられていない場合には、第１分岐ケース１や第２分岐ケース２をフレーム１３０に直接取り付けるようにしてもよい。第１分岐ケース１や第２分岐ケース２は、ラック１１０のフレーム１３０以外の部分に取り付けてもよい。
【０１４３】
第１分岐ケース１には、複数の第２分岐ケース２に対して光ファイバ５２を分岐している。ここで、第１分岐ケース１と複数の第２分岐ケース２との間における光ファイバ５２の長さは、第２分岐ケース２ごとに異なる長さとされている。第１分岐ケース１と複数の第２分岐ケース２との間における光ファイバ５２の長さを第２分岐ケース２ごとに異なる長さとすることにより、複数の第２分岐ケース２が近接した範囲に集中することを抑制できる。
【０１４４】
以上の構成を有する本発明の幾つかの実施形態に係る光ファイバケーブル分岐構造１００は、収容部１２における取入部１１と反対側に位置する固定部１３における光ファイバ５２を保護チューブ６０で保護している。このため、固定部１３における光ファイバ５２を断線等から保護することができる。固定部１３における固定プレート１８，１９は、保護チューブ６０を固定している。保護チューブ６０を固定部１３に固定することによって光ファイバ５２を安定した状態にすることができる。したがって、光ファイバの分岐作業を行う際の作業性の低下を抑制することができる。
【０１４５】
光ファイバ５２を固定する際には、形状の変化が小さい保護チューブ６０を固定プレート１８，１９の固定溝１８Ａ〜１８Ｆ，１９Ａ〜１９Ｂに挿入するだけでよく、作業に係る手間が小さい。このため、作業性をより向上させることができる。保護チューブ６０を安定した姿勢で固定できるので、分岐した光ファイバ５２を安定した姿勢で維持させることができる。
【０１４６】
分岐ケース１，２を設けることにより、光ファイバケーブル５０の長さ調整を現場で容易に行うことができる。このため、光ファイバ５２の余長の発生抑制することができる。したがって、光ファイバ心線の余長処理の手間を軽減することができる。特に、分ケースが複数段階で設けられることで、光ファイバケーブル５０の長さ調整をより容易に行うことができる。
【０１４７】
固定部１３における第２仕切部材１３Ｄと第３仕切部材１３Ｅとの間及び第３仕切部材１３Ｅと第４仕切部材１３Ｆとの間には、それぞれくし歯状の固定プレート１８，１９が設けられている。このため、固定プレート１８，１９を介して保護チューブ６０を固定できるので、複数の保護チューブ６０をまとめて固定することができる。したがって、部品点数の増大を抑制することができる。
【０１４８】
固定部１３に配置される保護チューブ６０の端部には、インサートリング６１が挿入されており、インサートリング６１は、筒状部６１Ａと、筒状部６１Ａよりも大径であるリング部６１Ｂが形成されている。このため、固定部１３における保護チューブ６０のつぶれが抑制されるので、仕切部材１３Ｃ〜１３Ｆによって保護チューブ６０をより確実に固定することができる。具体的に、インサートリング６１が設けられていない保護チューブ６０では、保護チューブ６０が軽い力で引き抜かれた。これに対して、インサートリング６１を設けることにより、インサートリング６１を設けない場合に保護チューブ６０を引き抜いた力の７倍程度の力をもってしても保護チューブ６０を引き抜くことができなかった。
【０１４９】
取入部１１においては、光ファイバケーブル５０の外皮５５が取入部１１のケーブル受凹溝１１Ｂと把持部材１５の把持部材本体１５Ａによって挟み込まれて把持されている。このため、第１分岐ケース１の取入部１１においても、光ファイバ５２を安定した姿勢で維持させることができる。特に、光ファイバケーブル５０に含まれる光ファイバユニット５１はＳＷＲであり、外皮５５には、抗張力体５６が設けられている。抗張力体５６が設けられていることから、金属製の把持部材１５で外皮５５に締め付けることにより、簡易な把持部材１５を持って光ファイバケーブル５０を固定することができる。
【０１５０】
光ファイバケーブル５０の外皮５５は、取入部１１のケーブル受凹溝１１Ｂに嵌合する。把持部材１５は、ケーブル受凹溝１１Ｂに嵌合する光ファイバケーブル５０の外皮５５を固定している。このため、光ファイバケーブル５０の外皮５５及び外皮５５に含まれる光ファイバ５２を確実に固定することができる。
【０１５１】
ケーブル受凹溝１１Ｂには、三日月状突起部１１Ｅが形成されている。三日月状突起部１１Ｅは、その長手方向が光ファイバケーブル５０の延在方向に交差する方向に形成されているので、光ファイバケーブル５０の延在方向に対する光ファイバケーブル５０の移動を好適に抑制することができる。
【０１５２】
三日月状突起部１１Ｅのみでは、ケーブル受凹溝１１Ｂの円弧に沿った方向に対する光ファイバケーブル５０の移動の抑止が難しくなる。この点、三日月状突起部１１Ｅの間には、鬼目突起部１１Ｄが設けられている。この鬼目突起部１１Ｄによって、ケーブル受凹溝１１Ｂの円弧に沿った方向に対する光ファイバケーブル５０の移動を好適に抑制することができる。
【０１５３】
把持部材１５には、ノッチ部１５Ｄが形成されている。ケーブル受凹溝１１Ｂ及び把持部材１５によって外皮５５を把持している際に、ノッチ部１５Ｄが外皮５５に食い込むこととなる。このため、光ファイバケーブル５０の外皮５５及び外皮５５に含まれる光ファイバ５２をより確実に固定することができる。ノッチ部１５Ｄは、把持部材本体１５Ａの上下端に設けられている。このため、光ファイバケーブル５０の第１分岐ケース１に対する押し込み方向及び引き抜き方向のいずれに対しても、光ファイバケーブル５０の移動を好適に抑制することができる。
【０１５４】
収容部１２には、樹脂材が充てんされている。このため、収容部１２内での光ファイバ５２の移動が防止され、光ファイバ５２を確実に固定することができるので、光ファイバ５２を安定した姿勢で維持させることができる。収容部１２には、樹脂材を注入する第１注入孔２１Ｈ１及び第２注入孔２１Ｈ２が形成されており、第１注入孔２１Ｈ１と第２注入孔２１Ｈ２とは、保護チューブ６０の延在方向に離間して配置されている。このため、図１６に示す取付姿勢で第１分岐ケース１を配置した際に、まずは下側の第２注入孔２１Ｈ２から樹脂材を収容部１２に充てんすることにより、収容部１２における下方の隅部まで樹脂材を確実に充てんすることができる。収容部１２への樹脂材の充てんが進み、第２注入孔２１Ｈ２の高さ位置に到達すると、第２注入孔２１Ｈ２からの樹脂材の充てんができなくなってしまう。このときに、上方の第１注入孔２１Ｈ１から樹脂材の充てんを行うことにより、収容部１２の高い位置まで樹脂材を充てんすることができる。
【０１５５】
収容部１２の上部側方には、左余空間１２ＬＳ及び右余空間１２ＲＳが形成されている。このため、収容部１２の容積を大きくなりすぎないようにすることができる。したがって、収容部１２に充てんされる樹脂材が多くなりすぎないようにすることができる。余空間１２ＬＳ，１２ＲＳ他の態様で形成してもよい。例えば、左右の一方に余空間を形成してもよいし、収容部１２よりも固定部１３に近い側に余空間を形成してもよい。
【０１５６】
固定部１３には、液体状の樹脂材の漏えいを阻止するストッパ１７が設けられており、ストッパ１７には、収容部１２から延びる保護チューブ６０が挿通されている。ストッパ１７が設けられていることにより、取入部１１を上方に配置し、固定部１３を下方に配置した状態で液体状の樹脂材を充てんした際に、固定部１３からの樹脂材の漏えいを抑制することができる。
【０１５７】
第１分岐ケース１とともに第２分岐ケース２を設けて光ファイバを２段階で分岐している。このため、光ファイバケーブル５０に含まれる複数の光ファイバ５２を複数段階で分岐するので、１段階における分岐量を少なくすることができる。したがって、分岐ケースの大型化を抑制することができる。
【０１５８】
第２分岐ケース２における光ファイバ５２の分岐数は、第１分岐ケース１における光ファイバ５２の分岐数よりも少なくされている。具体的に。第１分岐ケース１では、光ファイバ５２を１２組に分岐するところ、第２分岐ケース２では、光ファイバ５２を２組に分岐している。このため、融着トレー１２０に近いところで光ファイバの分岐パターンを多様なパターンとすることができる。
【０１５９】
第１分岐ケース１における第１分岐ケース蓋部材２０には、左突条部２１ＬＡ，２１ＬＢ及び右突条部２１ＲＡ，２１ＲＢが設けられている。この左突条部２１ＬＡ，ＬＢは、第１分岐ケース蓋部材２０が第１分岐ケース本体１０に取り付けられた際に、第１分岐ケース本体１０の左余空間形成壁部１２Ｃの上端辺を挟み込む位置に配置される。同様に、右突条部２１ＲＡ，２１ＲＢは、第１分岐ケース本体１０の右余空間形成壁部１２Ｄの上端辺を挟み込む位置に配置される。このため、液体状の樹脂材が収容部１２における第１分岐ケース本体１０と第１分岐ケース蓋部材２０との間の隙間を余空間形成壁部１２Ｃ，１２Ｄと、突条部２１ＬＡ，２１ＬＢ，２１ＲＡ，２１ＲＢによって液密状に塞ぐことができる。したがって、液体状の樹脂材を充てんしているときにおける第１分岐ケース本体１０と第１分岐ケース蓋部材２０との間の隙間からの充てん剤の漏えいを抑制することができる。
【０１６０】
上記の第２実施形態のように、光ファイバケーブル分岐部材１０１が融着トレーに接続される場合、光ファイバケーブル分岐部材２１０は、露出した状態で取り付けられることが多い。この場合、取入部１１と固定部１３との間の光ファイバ５２は、第１分岐ケース１等によって覆われた状態とすることが好適となる。
【０１６１】
上記第１実施形態では、光ファイバケーブル分岐部材２１０は、例えばクロージャに設けられる。このため、ケーブル固定部２１２とチューブ固定部２１３との間の光ファイバ５２をケース等で覆っていないが、ケース等で覆ってもよい。第２実施形態のように、光ファイバケーブル分岐部材２１０を融着トレー等に接続する場合に、ケーブル固定部２１２とチューブ固定部２１３との間の光ファイバ５２が露出する場合でも、ケーブル固定部２１２とチューブ固定部２１３との間の光ファイバ５２をケース等で覆わなくともよい。
【０１６２】
特に、光ファイバケーブル分岐部材１０１がクロージャや光成端箱等のケースの内側に設けられない場合でも、屋内等で使用される場合には、取入部１１と固定部１３との間の光ファイバ５２を露出した状態としてもよい。クロージャなどのケースに収容される場合でも、振動等によって光ファイバ５２を傷つける可能性がある部材が近傍に設けられる場合には、このため、ケーブル固定部２１２とチューブ固定部２１３との間の光ファイバ５２をケース等で覆うようにしてもよい。
【符号の説明】
【０１６３】
１…第１分岐ケース、２…第２分岐ケース、１０…分岐ケース本体、１１…取入部、１１Ａ…取入部本体、１１Ｂ…ケーブル受凹溝、１１Ｃ…切込部、１１Ｄ…鬼目突起部、１１Ｅ…三日月状突起部、１２…収容部、１２Ｃ，１２Ｄ…余空間形成壁部、１２ＬＳ，１２ＲＳ…余空間、１２Ｓ…光ファイバ収容部、１３…固定部、１３Ｃ，１３Ｄ，１３Ｅ，１３Ｆ…仕切部材、１３Ｃ１〜１３Ｃ５…第１仕切柱部材、１３Ｃ６…第１接続部材、１３ＣＨ１…第１仕切第１凹部、１４…取出部、１５…把持部材、１５Ａ…把持部材本体、１５Ｂ…締付部、１５Ｄ…ノッチ部、１７…ストッパ、１７Ａ，１７Ｂ…切込部、１７Ａ１，１７Ａ２，１７Ｂ１，１７Ｂ２…位置決め孔、１８，１９…固定プレート、１８Ａ〜１８Ｆ，１９Ａ〜１９Ｆ…固定溝、２０…分岐ケース蓋部材、２１Ｈ１…第１注入孔、２１Ｈ２…第２注入孔、２１ＬＡ，２１ＬＢ，２１ＲＡ，２１ＲＢ…突条部、２１Ｕ１〜２１Ｕ６…保護チューブ受部、５０…光ファイバケーブル、５１…光ファイバユニット、５２…光ファイバ、５５…外皮、５６…抗張力体、６０…保護チューブ、６１…インサートリング、６１Ａ…筒状部、６１Ｂ…リング部、１００，２００…光ファイバケーブル分岐構造、１０１，２１０…光ファイバケーブル分岐部材、２１１…分岐部材本体、２１２…ケーブル固定部、２１３…チューブ固定部、２１４…分岐部
【図１Ａ】
2017110114.tif 000003
【図１Ｂ】
2017110114.tif 000004
【図２】
2017110114.tif 000005
【図３】
2017110114.tif 000006
【図４】
2017110114.tif 000007
【図５】
2017110114.tif 000008
【図６】
2017110114.tif 000009
【図７】
2017110114.tif 000010
【図８】
2017110114.tif 000011
【図９Ａ】
2017110114.tif 000012
【図９Ｂ】
2017110114.tif 000013
【図９Ｃ】
2017110114.tif 000014
【図９Ｄ】
2017110114.tif 000015
【図１０】
2017110114.tif 000016
【図１１】
2017110114.tif 000017
【図１２】
2017110114.tif 000018
【図１３】
2017110114.tif 000019
【図１４Ａ】
2017110114.tif 000020
【図１４Ｂ】
2017110114.tif 000021
【図１５Ａ】
2017110114.tif 000022
【図１５Ｂ】
2017110114.tif 000023
【図１６】
2017110114.tif 000024
【図１７】
2017110114.tif 000025
【図１８】
2017110114.tif 000026
【国際調査報告】
2017110114.tif 000027
2017110114.tif 000028
2017110114.tif 000029
2017110114.tif 000030